(57)【特許請求の範囲】
【請求項１】
第１ビームから第１経糸を供給し、該第１経糸供給に対応して第１緯糸を供給し、強く張ったガーゼＡ層を形成するともに、
該第１ビームより供給速度の速い第２ビームから第２経糸を供給し、該第２経糸供給に対応して第２緯糸を供給し、該ガーゼ該Ａ層より弛く張ったガーゼＢ層を形成し、
該ガーゼＡ層と該ガーゼＢ層とを接結する接結部を形成する
多重ガーゼの製織方法であって、
全ての前記第１経糸に対応して等間隔に第１緯糸を供給して交差させることで、前記ガーゼＡ層は組織的に均一な平織構造となる
ことを特徴とする多重ガーゼの製織方法。
【請求項２】
前記第２ビームの供給速度は、第１ビームの供給速度より０．５〜５．０％速い
ことを特徴とする請求項１記載の多重ガーゼの製織方法。
【請求項３】
前記多重ガーゼは、表層、中間層、裏層を含む複数層から構成され、
該中間層に前記ガーゼＡ層を形成し、
該表層および該裏層に前記ガーゼＢ層を形成する
ことを特徴とする請求項１または２記載の多重ガーゼの製織方法。
【請求項４】
前記接結部は
前記表層と中間層とを規則的に接結する第１接結部と、
前記裏層と中間層とを規則的に接結する第２接結部と
を有し、
該第１接結部を隣り合う２つの第２接結部の中間相当位置に形成する
ことを特徴とする請求項３記載の多重ガーゼの製織方法。
【請求項５】
前記接結部は
前記表層と中間層とを規則的に接結する第１接結部と、
前記裏層と中間層とを規則的に接結する第２接結部と
を有し、
該第１接結部を、第２接結部相当位置に形成する
ことを特徴とする請求項３記載の多重ガーゼの製織方法。
【発明の詳細な説明】
【技術分野】
【０００１】
本発明は多重ガーゼの製織方法および当該方法で製織された多重ガーゼ織物に関する。
【背景技術】
【０００２】
ガーゼ織物は、比較的細い糸により粗く織られた平織物である。ガーゼ織物は、軽量性および通気性を有することを特徴とする。【０００３】
これらの特徴を活かすべく、ガーゼ織物を衣類や寝具類の生地に適用しようとすると、防透性（透けにくさ）、保温性、吸水性、柔らかさの点で改善の余地がある。【０００４】
２枚以上のガーゼを重ねて多重織とすれば、防透性については改善される。一方で、保温性、吸水性については、重ねた分向上するが、飛躍的には改善されない。柔らかさについては、全く改善されない。【０００５】
ところで、防透性、保温性、吸水性、柔らかさの点で優れたガーゼ織物に、タオル織ガーゼ（ガーゼ織タオルまたはパイルガーゼ）がある（特許文献１）。
【先行技術文献】
【特許文献】
【０００６】
【特許文献１】特許公開２０００−２２００５８
【発明の概要】
【発明が解決しようとする課題】
【０００７】
タオル織ガーゼは、ガーゼの長所とタオルの長所を併せ持つものであるが、パイルを必須とするため、衣類や寝具類の生地に適用しようとすると、やや重い。すなわち、ガーゼ織物の特徴である軽量性および通気性を活かしきれない。【０００８】
従って、本発明が解決しようとする課題は、軽量性および通気性を維持しながら、防透性、保温性、吸水性、肌触り感（柔らかさ）に優れたガーゼ織物を提供することである。
【課題を解決するための手段】
【０００９】
上記課題を解決する発明は、多重ガーゼの製織方法であって、
第１ビームから経糸を供給し、強く張ったＡ層を形成するともに、
該第１ビームより供給速度の速い第２ビームから経糸を供給し、該Ａ層より弛く張ったＢ層を形成し、
該Ａ層と該Ｂ層とを接結する接結部を形成する。【００１０】
上記発明において、好ましくは、前記第２ビームの供給速度は、第１ビームの供給速度より０．５〜５．０％速い。【００１１】
上記発明において、好ましくは、前記多重ガーゼは、表層、中間層、裏層を含む複数層から構成され、
該中間層に前記Ａ層を形成し、
該表層および該裏層に前記Ｂ層を形成する。【００１２】
上記発明において、さらに好ましくは、
前記接結部は、前記表層と中間層とを規則的に接結する第１接結部と、前記裏層と中間層とを規則的に接結する第２接結部とを有し、
該第１接結部を隣り合う２つの第２接結部の中間相当位置に形成する。【００１３】
上記発明において、さらに好ましくは、
前記接結部は、前記表層と中間層とを規則的に接結する第１接結部と、前記裏層と中間層とを規則的に接結する第２接結部とを有し、
該第１接結部を、第２接結部相当位置に形成する。【００１４】
上記課題を解決する発明は、多重ガーゼ織物であって、
第１ビームから供給された経糸を強く張って形成されるＡ層と、
該第１ビームより供給速度の速い第２ビームから供給された経糸を該Ａ層より弛く張って形成されるＢ層と、
該Ａ層と該Ｂ層とを接結する接結部と
を備える。【００１５】
上記課題を解決する本発明は、前記多重ガーゼ織物により形成される衣類である。【００１６】
上記課題を解決する本発明は、前記多重ガーゼ織物により形成される寝具類である。
【発明の効果】
【００１７】
本発明の多重ガーゼ織物は、従来型の多重ガーゼ織物と比べ、防透性、保温性、吸水性、通気性、肌触り感（柔らかさ）に優れている。【００１８】
本発明の多重ガーゼ織物は、従来型の多重ガーゼ織物の軽量性を維持している。【００１９】
その結果、衣類や寝具類の生地に好適である。
【図面の簡単な説明】
【００２０】
【図１】本発明の第１実施形態に係る２重ガーゼ織物の断面図
【図２】従来技術に係る２重ガーゼ織物の断面図
【図３】本発明の第２実施形態に係る３重ガーゼ織物の断面図
【図４】本発明の第３実施形態に係る３重ガーゼ織物の断面図
【発明を実施するための形態】
【００２１】
＜第１実施形態＞
〜ガーゼ構成および製織方法〜
図１は、本発明の第１実施形態に係る多重ガーゼ織物の断面図である。本発明はＮ（Ｎは２以上の整数）重ガーゼ織物であるが、発明を理解しやすいように、２重ガーゼ織物について説明する。
【００２２】
2重ガーゼ織物は、表面層ガーゼと、裏面層ガーゼとを備える。
【００２３】
表面層ガーゼは、経糸（縦糸）１，２と緯糸（横糸）３，４とから構成される。
【００２４】
表面層の経糸１，２は、第１ビームから供給される。第１ビームの経糸供給速度は、一般的なガーゼ製織における供給速度と同程度である。
【００２５】
このとき、経糸供給速度に合わせて、経糸１，２のテンションも調整する。
【００２６】
経糸供給に合わせて、緯糸３，４を打ち込む。これにより、強く張ったＡ層（一般的なガーゼ）を形成する。
【００２７】
裏面層ガーゼは、経糸（縦糸）５，６と緯糸（横糸）７，８とから構成される。
【００２８】
裏面層の経糸５，６は、第２ビームから供給される。第２ビームの供給速度は、第１ビームの供給速度より０．５〜５．０％速い。好ましくは１．５〜３．０％速い。
【００２９】
このとき、経糸供給速度に合わせて、経糸５，６のテンションは、経糸１，２のテンションの０．８倍以下に調整する。好ましくは、０．６倍以下に調整する。
【００３０】
経糸供給に合わせて、緯糸７，８を打ち込む。これにより、Ａ層より弛く張ったＢ層を形成する。
【００３１】
緯糸３，４と緯糸７，８とは同本数であり、同間隔で打込まれる。
【００３２】
第２ビームの供給速度は第１ビームの供給速度より速いため、経糸５，６の長さは経糸１，２より長くなる。一方で、Ａ層とＢ層の経糸方向の長さは同じである。その結果、Ｂ層はＡ層より弛くなる。
【００３３】
Ａ層形成およびＢ層形成とともに、適宜、Ａ層とＢ層とを接結する。経糸により接結部を形成しても良いし、緯糸により接結部を形成しても良い。図示の例では、経糸２を緯糸８に絡ませるとともに、経糸５を緯糸４に絡ませて、接結部１０を形成する。
【００３４】
〜効果〜
図２は、一般的なガーゼを２枚重ねた２重ガーゼ織物（従来技術）である。従来技術と比較することにより本実施形態の効果について説明する。
【００３５】
・防透性、保温性、吸水性、通気性の向上
従来技術では、１つのビームより、表面層の経糸および裏面層の経糸が供給される。当然、両経糸の供給速度は同じである。その結果、フラットな２重ガーゼが形成される。２枚のガーゼの間には空間がなく、防透性、保温性、吸水性については、２枚重ねた分、向上するが、飛躍的には改善されない。通気性については、２枚重ねた分、低下する。
【００３６】
これに対し、第１実施形態では、弛みのあるＢ層により、２枚のガーゼの間には空間が生じる。薄い２枚のガーゼを用いて、２重ガーゼに厚みを持たせることができる。この空間および厚みにより、従来技術に比べて、防透性、保温性、吸水性、通気性の向上を図ることができる。
【００３７】
その結果、衣類（ガウン、パジャマ、シャツ、パンツ、乳幼児用品等）や寝具類（シーツ、毛布、枕カバーなど）の生地として好適である。
【００３８】
例えば、夏場の暑いときは通気性が機能し、冬場の寒いときは保温性が機能する。使用者は、夏は涼しさを、冬は暖かさを実感できる。
【００３９】
また、パジャマやシーツとして用いた場合、就寝中に、空間が寝汗を吸収するとともに、通気性が機能して余分な体温を排出する。明け方、気温が下がったときは、保温性が機能する。すなわち、就寝中終始、快適性を維持する。
【００４０】
・肌触り感の向上
従来技術では、フラットな２重ガーゼであり、衣類や寝具類に適用した場合、汗をかくと生地が肌にべたつく。また、弾力性もなく肌触り感も硬い。
【００４１】
これに対し、第１実施形態では、弛みのあるＢ層および接結部１０により、凹凸が生じる。この凸部が肌に接触すると、適度な弾力性を発揮する。使用者は柔らかさを実感できる。また、凸部のみが肌に接触するため（接触面積が少ないため）、汗をかいてもべたつき感が少ない。このように、従来技術に比べて、肌触り感の向上を図ることができる。
【００４２】
なお、緯糸が収縮する際に、接結部１０にて拘束される。これにより、緯糸方向に縮み方が変化する。すなわち、接結部１０前後の縮み方は少なく、隣り合う２つの接結部１０の中間での縮み方は大きい。これにより、緯糸方向にも凹凸が生じ、肌触り感は更に向上する。
【００４３】
・軽量性の維持
従来技術と第１実施形態との相違は、裏面層の経糸５，６のみであり、表面層および緯糸については共通する。２重ガーゼのうち経糸５，６の占める割合は、２５％（＝１／４）である。
【００４４】
仮に、第２ビームの供給速度が、第１ビームの供給速度より５．０％速い（糸が長い＝重い）とした場合、第１実施形態は従来技術にくらべ、１．２５％（＝２５％×５％）の重量増になる。
【００４５】
この程度の重量増であれば、２重ガーゼ織物を衣類や寝具類に適用した場合、使用者は重量の差異について認識しない。つまり、ガーゼ織物の軽量性の維持できる。
【００４６】
＜第２実施形態＞
〜ガーゼ構成および製織方法〜
図３は、本発明の第２実施形態に係る３重ガーゼ織物の断面図である。
【００４７】
３重ガーゼ織物は、表面層ガーゼと、中間層ガーゼと、裏面層ガーゼとを備える。
【００４８】
第１ビームから経糸を供給し、緯糸を打ち込み、中間層ガーゼに強く張ったＡ層を形成する。
【００４９】
第２ビームから経糸を供給し、緯糸を打ち込み、表面層ガーゼに弛く張ったＢ１層を形成するとともに、裏面層ガーゼに弛く張ったＢ２層を形成する。
【００５０】
このとき第２ビームの供給速度は、第１ビームの供給速度より速い。
【００５１】
Ａ層形成およびＢ１層・Ｂ２層形成とともに、適宜、Ａ層とＢ１層とを規則的に接結する接結部１１と、Ａ層とＢ２層とを規則的に接結する接結部１２とを形成する。接結部１１の間隔と接結部１２の間隔は同じである。
【００５２】
接結部１１は隣り合う２つの接結部１２の中間相当位置に形成される。また、接結部１２は隣り合う２つの接結部１１の中間相当位置に形成される。その結果、表面層ガーゼと裏面層ガーゼは、略平行に配置される。
【００５３】
〜効果〜
第２実施形態は、第１実施形態の変形例である。すなわち、Ａ層の両側にＢ層が設けられている。したがって、第１実施形態と同様の効果を奏する。特に、防透性、保温性、吸水性は、更に向上する。
【００５４】
表面層ガーゼ裏面層ガーゼとの間に形成される３重ガーゼ織物の厚みは、経糸方向に均一であり、防透性、保温性、吸水性、通気性も経糸方向に均一である。その結果、使用者は違和感を持たない。
【００５５】
また、緩やかなウネリのような外観を形成する。
【００５６】
＜第３実施形態＞
〜ガーゼ構成および製織方法〜
図４は、本発明の第３実施形態に係る３重ガーゼ織物の断面図である。
【００５７】
３重ガーゼ織物は、表面層ガーゼと、中間層ガーゼと、裏面層ガーゼとを備える点、Ａ層の両側にＢ層（Ｂ１層・Ｂ２層）が設けられている点、接結部１１および接結部１２が形成される点については、第２実施形態と共通する。
【００５８】
一方で、第３実施形態では、接結部１１は、接結部１２相当位置に形成される。また、接結部１２は、接結部１１相当位置に形成される。その結果、表面層ガーゼと裏面層ガーゼは、中間層ガーゼに関して略線対称に配置される。
【００５９】
ところで、相当位置とは幅のある概念である。同じ位置から緯糸３本分ズレた位置までを含む。図示では接結部１１と接結部１２は、緯糸２本分ズレている。
【００６０】
接結部１１と接結部１２とが同じ位置になり、穴の開いたような外観となることを好まない場合は、緯糸１〜３本分ズラす。
【００６１】
〜効果〜
第３実施形態も、第２実施形態と同様に第１実施形態の変形例である。すなわち、したがって、第１実施形態と同様の効果を奏する。
【００６２】
とくに、表面層ガーゼ裏面層ガーゼとの間に形成される３重ガーゼ織物の厚みは、第２実施形態に比べて厚くなり、防透性、保温性、吸水性は、更に向上する。
【００６３】
また、メリハリのある凹凸のような外観を形成する。このように外観デザインについて適宜選択できる。
【００６４】
＜その他＞
以上、より具体的な実施形態について説明した。本発明は以下の実施形態にのみ限定されない。本発明の特徴が大きく損なわれない限り、各種の変形例や応用例も本発明に含まれる。
【００６５】
例えば、第２実施形態や第３実施形態において、Ａ層を２枚重ねて中間層を形成し、４重ガーゼ織物としてもよい。
【００６６】
第１〜３実施形態では、規則的に接結部を形成するが、不規則であってもよい。
【００６７】
＜補足＞
本願発明のポイントの一つは、多重ガーゼを嵩高とした点にある。本願発明者は、当初、従来型多重ガーゼを乾燥収縮させて、嵩高とすることも検討した。
【００６８】
しかしながら、乾燥収縮により嵩高とすると、単位面積当たりの重量が増え、ガーゼ織物の特徴である軽量性および通気性を活かしきれない。
【００６９】
さらに、収縮が不均一であるため、外観が悪く、裁断や縫製が難しくなる。つまり、衣類や寝具類の生地に適さない。
【００７０】
したがって、多重ガーゼを嵩高とする他の方法を検討する必要があった。
【００７１】
ところで、従来型の多重ガーゼの製織方法では、１つのビームから複数の経糸を振り分ける。２つ以上のビームを用いて製織することも理論上可能であるが、生産効率が低下する。そのため、実務の観点から、ガーゼ製織において複数のビームを用いるという発想を、当業者は想起し得ない。
【００７２】
本願発明者は、軽量性・通気性を維持しつつ、多重ガーゼを嵩高とすることを検討する過程の中で、２つ以上のビームを用いることを想いついた。本願発明は、上記のような試行錯誤を経て、完成するに至った。
【符号の説明】
【００７３】
１，２  Ａ層経糸
３，４  Ａ層緯糸
５，６  Ｂ層経糸
７，８  Ｂ層緯糸
１０，１１，１２  接結部
Ａ層  経糸を強く張って形成した層
Ｂ層  経糸を弛ませて形成した層
【要約】
ガーゼ織物の特徴である軽量性および通気性を維持しながら、防透性、保温性、吸水性、肌触り感（柔らかさ）に優れたガーゼ織物を提供する。第１ビームから経糸（１，２）を供給し、緯糸（３，４）を打ち込み、強く張ったＡ層を形成する。第１ビームより供給速度の速い第２ビームから経糸（５，６）を供給し、緯糸（７，８）を打ち込み、弛ませたＢ層を形成する。Ａ層とＢ層とを規則的に接結する接結部を形成する。【図１】
0005999744.tif 000002
【図２】
0005999744.tif 000003
【図３】
0005999744.tif 000004
【図４】
0005999744.tif 000005